(57)【要約】【課題】装置内の空間を効率よく使用できるようにする。【解決手段】第１の電子機器１０１が収納される第１収納部１２と、第２の電子機器１０１が収納される第２収納部１１と、第２収納部１１を第１収納部１２から離間させた離間状態と、第２収納部１１を第１収納部１２に近接させた近接状態とを切り替える離接機構１３とを備える。【選択図】図１
2015053381.tif 000002
【特許請求の範囲】
【請求項１】
第１の電子機器が収納される第１収納部と、
第２の電子機器が収納される第２収納部と、
前記第２収納部を前記第１収納部から離間させた離間状態と、前記第２収納部を前記第１収納部に近接させた近接状態とを切り替える離接機構とを備えることを特徴とする、電子機器収納装置。
【請求項２】
前記離接機構が、
前記第２収納部を水平方向に移動させることにより前記第１収納部からの距離を変更させる水平方向移動機構と、
前記第２を鉛直方向に移動させることにより前記第１収納部からの距離を変更させる鉛直方向移動機構と
を備えることを特徴とする、請求項１記載の電子機器収納装置。
【請求項３】
前記第２収納部を前記第１収納部から離間させた前記離間状態で、前記第１収納部に形成された開口から流入し、前記第１の電子機器を通過する気流を生じさせる第１気流生成部を備える
ことを特徴とする、請求項１又は２記載の電子機器収納装置。
【請求項４】
前記第２収納部が、前記第２収納部を前記第１収納部に近接させた前記近接状態で、前記第１収納部の前記第１の電子機器に、当該電子機器収納装置の外部からの気流を案内する案内路を備え、
前記近接状態で、前記案内路を介して流入し、前記第１の電子機器を通過する気流を生じさせる第２気流生成部を備える
ことを特徴とする、請求項１〜３のいずれか１項に記載の電子機器収納装置。
【請求項５】
前記第１収納部と前記第２収納部とを伸縮自在に連結するダクトを備え、
前記第２収納部に形成された開口から流入し、前記第２の電子機器を通過した後に、前記ダクトを通過する気流を生じさせる第３気流生成部を備える
ことを特徴とする、請求項１〜４のいずれか１項に記載の電子機器収納装置。
【発明の詳細な説明】
【技術分野】
【０００１】
本発明は、電子機器収納装置に関する。
【背景技術】
【０００２】
図１２は従来のラックマウント装置におけるディスクエンクロージャの状態を示す３面図、図１３はその冷却方法を示す図である。これらの図１２及び図１３においては、ディスクエンクロージャ８の上面（図中中央）と、その前面（図中右側）及び後面（図中左側）を示している。
ストレージサーバ等の図示しないラックマウント装置は、ラック９１を備え、このラック９１内にディスクエンクロージャ８（以下、単にエンクロージャ８という）等の装置が搭載される。
【０００３】
エンクロージャ８の筐体８００内において、その前側（図１２中の右側）には、複数（例えば、最大で２４台）のＨＤＤ（Hard Disk Drive）８０１が並べて搭載される。又、エンクロージャ８の筐体８００内における、その後側（図１２中の左側）には、１つ以上（図１２に示す例では２つ）のファン８０２が搭載されている。
ファン８０２は、筐体８００内に気流を生成させ、これによりＨＤＤ８０１を冷却する。従来のエンクロージャにおいては、図１３に示すように、筐体８００内において、その前方から後方に向かう気流を生成させることで、ＨＤＤ８０１等を冷却する。
【先行技術文献】
【特許文献】
【０００４】
【特許文献１】特開２００５−１８２６１０号公報
【特許文献２】特開平８−２０３２６４号公報
【特許文献３】特開２００８−２５１０６７号公報
【特許文献４】特開２００１−１４８５８９号公報
【発明の概要】
【発明が解決しようとする課題】
【０００５】
しかしながら、ラックマウント装置において、一般にラック９１の奥行きは900mm〜1,000mm程度である。それに対して、ラック９１内に搭載されるエンクロージャ８の奥行きは650mm程度である。従って、ラック９１内において、エンクロージャ８の後方に奥行き約300mmの余剰な空間（デッドスペース：図１２及び図１３中の斜線部分参照）が形成され、スペース効率が悪いという課題がある。
【０００６】
そこで、図１４に示すように、エンクロージャ８の筐体８００を前後方向に延長し、その前面に沿って一列に配置されたＨＤＤ８０１の後方に、更にもう一列、複数のＨＤＤ８０１を並べて配置することで、ＨＤＤ８０１を前後の２列に配置することが考えられる。
図１４は従来のラックマウント装置におけるディスクエンクロージャの他の態様を示す平面図である。
【０００７】
この図１４において、前側と後側にそれぞれ配置されたディスク８０１のうち、前側面に沿って一列に配置された複数のディスク８０１を前部ディスク列８０１ａといい、その後側に前部ディスク列８０１ａと平行に一列に配置された複数のディスク８０１を後部ディスク列８０１ｂという。
図１４に示すエンクロージャ８においては、後部ディスク列８０１ｂに対してメンテナンス作業を行なうことが困難であるという課題がある。
【０００８】
また、この図１４におけるエンクロージャ８においては、筐体８００内の後側に配置したファン８０２により生成した気流は、前部ディスク列８０１ａを冷却した後に後部ディスク列８０１ｂに到達する。従って、後部ディスク列８０１ｂには前部ディスク列８０１ａを冷却することにより高温になった気流が流入する。これにより、後部ディスク列８０１ｂのＨＤＤ８０１の冷却効率が低下し、製品寿命が短くなるという課題もある。
【０００９】
１つの側面では、本発明は、装置内の空間を効率よく使用できるようにすることを目的とする。
なお、前記目的に限らず、後述する発明を実施するための形態に示す各構成により導かれる作用効果であって、従来の技術によっては得られない作用効果を奏することも本発明の他の目的の１つとして位置付けることができる。
【課題を解決するための手段】
【００１０】
このため、この電子機器収納装置は、第１の電子機器が収納される第１収納部と、第２の電子機器が収納される第２収納部と、前記第２収納部を前記第１収納部から離間させた離間状態と、前記第２収納部を前記第１収納部に近接させた近接状態とを切り替える離接機構とを備える。
【発明の効果】
【００１１】
一実施形態によれば、装置内の空間を効率よく使用できる利点がある。
【図面の簡単な説明】
【００１２】
【図１】実施形態の一例としてのストレージ装置の展開状態を示す斜視図である。
【図２】実施形態の一例としてのストレージ装置の収納状態を示す斜視図である。
【図３】（ａ），（ｂ）は実施形態の一例としてのストレージ装置における離接機構の動作を示す側面図である。
【図４】実施形態の一例としてのストレージ装置の展開状態の外観を示す斜視図である。
【図５】実施形態の一例としてのストレージ装置の収納状態の外観を示す斜視図である。
【図６】（ａ），（ｂ），（ｃ）は実施形態の一例としてのストレージ装置の収納状態における後ディスク列を冷却する気流の経路を示す図である。
【図７】実施形態の一例としてのストレージ装置におけるダクトを例示する外観図である。
【図８】実施形態の一例としてのストレージ装置におけるＨＤＤシェルフの後側の外観を示す斜視図である。
【図９】実施形態の一例としてのストレージ装置の展開状態における気流の経路を示す斜視図である。
【図１０】（ａ），（ｂ），（ｃ）は実施形態の一例としてのストレージ装置の収納状態における前ディスク列を冷却する気流の経路を示す図である。
【図１１】実施形態の変形例としてのストレージ装置の収納状態を示す斜視図である。
【図１２】従来のラックマウント装置におけるディスクエンクロージャの状態を示す３面図である。
【図１３】従来のラックマウント装置におけるディスクエンクロージャの冷却方法を示す図である。
【図１４】従来のラックマウント装置におけるディスクエンクロージャの他の態様を示す平面図である。
【発明を実施するための形態】
【００１３】
以下、図面を参照して本電子機器収納装置に係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。又、各図は、図中に示す構成要素のみを備えるという趣旨ではなく、他の機能等を含むことができる。
【００１４】
図１は実施形態の一例としてのストレージ装置の展開状態を示す斜視図であり、図２はその収納状態を示す斜視図である。なお、これらの図１及び図２中においては、ストレージ装置１の内部構成を説明するため、図４，図５等に示すベースユニットカバー１２３，ダクト１４１，１４１及びＨＤＤシェルフカバー１１３の図示を省略している。
ストレージ装置（電子機器収納装置）１は、図示しないラックマウント装置に搭載される電子装置であり、ラックマウント装置のラックに形成されたスロット内に挿入される。
【００１５】
ストレージ装置１は、図１に示すように、ベースユニット１２，ＨＤＤシェルフ１１及び離接機構１３を備え、ベースユニット１２とＨＤＤシェルフ１１とを離接機構１３が連結する構成を備える。
ベースユニット（第１収納部）１２は、矩形のベース１２１上に、１つ以上（図１に示す例では１６個）の記憶装置（第１の電子装置）１０１を着脱自在に備えるともに、１つ以上（本実施形態では２つ）の制御ユニット１６と、ファン１４，１５とを備える。
【００１６】
ベース１２１の一辺に沿って、当該辺と直交するように１６個の記憶装置（第１の電子機器）１０１が互いに平行に配置されている。以下、便宜上、図１に示すように、このベース１２１における記憶装置１０１が並べて配置される側を前方とする。又、ベースユニット１２のベース１２１上に並んで配置される複数の記憶装置１０１を後ディスク列１０１ｂという。
【００１７】
記憶装置１０１は、例えばＨＤＤ（Hard Disk Drive）やＳＳＤ（Solid State Drive）等の記憶装置である。本実施形態においては、記憶装置１０１としてＨＤＤを用いる例について示し、以下、記憶装置１０１をＨＤＤ１０１と表す。
ベース１２１上における、後ディスク列１０１ｂの後方には、２つの制御ユニット１６が並んで配置されている。これらの制御ユニット１６内には、ＣＭ（Controller Module）やＰＳＵ（Power Supply Unit）等が格納されている。ＣＭは、ＨＤＤ１０１へのデータの読み書きや図示しないホスト装置との通信等を制御する。ＰＳＵは、本ストレージ装置１内の各部に電力を供給する。
【００１８】
また、制御ユニット１６内において、ベース１２１の後側の辺に沿って、それぞれファン（第１気流生成部，第２気流生成部）１４が配置されている。
また、ベース１２１上における、前述した前側の辺と直交する各辺に沿って、通風路２０１，２０１がそれぞれ配置されている。通風路２０１は、例えば、矩形断面を有する筒状の部材である。又、これらの通風路２０１，２０１における、後方側端部には、ファン（第３気流生成部）１５がそれぞれ配設されている。
【００１９】
なお、これらのファン１４，１５及び通風路２０１，２０１についての詳細は後述する。
また、ベース１２１上における後ディスク列１０１ｂと制御ユニット１６との間には、前述した前側辺と平行に、且つベース１２１と直交するようにバックプレーン１７が立設している。ベースユニット１２の各ＨＤＤ１０１は、それぞれこのバックプレーン１７に形成された図示しないコネクタに接続され、このバックプレーン１７を介して、制御ユニット１６内のＣＭやＰＳＵと接続される。
【００２０】
また、ベース１２１における前方には、ベース１２１と平行にケーブルリンクガイド１２４が突出している。バックプレーン１７と後述するＨＤＤシェルフ１１に供えられたバックプレーン１８とは、図示しない通信ケーブル及び電源ケーブルにより接続されており、これらの通信ケーブル及び電源ケーブルは、このケーブルリンクガイド１２４により案内される。
【００２１】
さらに、ベース１２１における、前述した前側の辺と直交する各辺からはサイドパネル１２２が立設しており、これらのサイドパネル１２２には、後述する離接機構１３が接続されている。
なお、図１及び図２に示す例においては、便宜上、その図示を省略しているが、ベースユニット１２においては、図４及び図５に示すように、後ディスク列１０１ｂや制御ユニット１６を覆うようにベースユニットカバー１２３が配置される。これにより、ベースユニット１２においては、ベース１２１，サイドパネル１２２，１２２及びベースユニットカバー１２３で環囲される空間内に後ディスク列１０１ｂ，制御ユニット１６，ファン１４，１５及び通風路２０１，２０１が配置されることになる。
【００２２】
ＨＤＤシェルフ（第１収納部）１１は、矩形のベース１１１上に、１つ以上（図１に示す例では２０個）のＨＤＤ（第２の電子装置）１０１を備える。
ベース１１１の前側の辺に沿って、当該辺と直交するように２０個のＨＤＤ１０１が互いに平行に配置されている。又、ＨＤＤシェルフ１１のこのベース１１１上に並んで配置される複数のＨＤＤ１０１を前ディスク列１０１ａという。
【００２３】
また、ベース１１１上における前ディスク列１０１ａの後方には、前述した前側辺と平行に、且つベース１１１と直交するようにバックプレーン１８が立設している。ＨＤＤシェルフ１１において、各ＨＤＤ１０１は、それぞれこのバックプレーン１８に形成された図示しないコネクタに接続される。ＨＤＤシェルフ１１の各ＨＤＤ１０１は、このバックプレーン１８と図示しないケーブルとバックブレーン１７とを介して、制御ユニット１６内のＣＭやＰＳＵと接続される。
【００２４】
さらに、ベース１１１における、前述した前側の辺と直交する各辺からはサイドパネル１１２が立設している。
また、各サイドパネル１１２には、離接機構１３が接続されている。離接機構１３は、ベースユニット１２とＨＤＤシェルフ１１とを連結し、ＨＤＤシェルフ１１とベースユニット１２とを離間させた離間状態（図１参照）と、ＨＤＤシェルフ１１とベースユニット１２とを近接させた近接状態（図２参照）とを任意に切り替え、それぞれの状態で保持することができる。以下、図１に示す、ＨＤＤシェルフ１１とベースユニット１２とを離間させた離間状態をＨＤＤシェルフ１１の展開状態もしくは単に展開状態という。又、図２に示すＨＤＤシェルフ１１とベースユニット１２とを近接させた近接状態をＨＤＤシェルフ１１の収納状態もしくは単に収納状態という。
【００２５】
本ストレージ装置１を図示しないラックのスロット内に格納した場合に、ＨＤＤシェルフ１１の収納状態においては、ＨＤＤシェルフ１１とベースユニット１２とがラックのスロット内に収納される。すなわち、本ストレージ装置１の奥行きは、ラック内に収まる寸法となるよう構成される。一方、ＨＤＤシェルフ１１を展開状態とすることにより、ラックのスロットからＨＤＤシェルフ１１が突出し、ベースユニット１２の後ディスク列１０１ｂが露出する。
【００２６】
図３（ａ），（ｂ）は実施形態の一例としてのストレージ装置１における離接機構１３の動作を示す側面図であり、図３（ａ）は収納状態を、又、図３（ｂ）は展開状態を、それぞれ示す。
図３（ａ）に示すように、ＨＤＤシェルフ１１の収納状態においては、ＨＤＤシェルフ１１のベース１１１とベースユニット１２のベース１２１とが面一になる。
【００２７】
離接機構１３は、図３（ａ），（ｂ）に示すように、複数のリンク１３１〜１３５とダンパー１３７とを備える。これらの複数のリンク１３１〜１３５とダンパー１３７とは、図１等に示すように、ＨＤＤシェルフ１１及びベースユニット１２の両側面において、ＨＤＤシェルフ１１及びベースユニット１２を挟んで対向する位置にそれぞれ配置されている。すなわち、離接機構１３は、ＨＤＤシェルフ１１及びベースユニット１２の両側面に配置されるリンク１３１〜１３５とダンパー１３７とが、それぞれ対を成して各々の機能を実現する。
【００２８】
リンク１３１は、その一端をＨＤＤシェルフ１１のサイドパネル１１２に枢軸１３６ｆにより枢設されている。これにより、リンク１３１，１３１は、ＨＤＤシェルフ１１をその両側から挟持する。又、リンク１３１は、その他端をリンク１３５及びリンク１３２の各一端部と枢軸１３６ａにより枢設されている。すなわち、リンク１３１，１３１は、ＨＤＤシェルフ１１を挟持した状態で、枢軸１３６ａにより回動することより、ＨＤＤシェルフ１１を鉛直方向に移動させる鉛直方向移動機構として機能する。又、このリンク１３１は、枢軸１３６ａ側においてＬ字状に折れ曲がった形状を有している。
【００２９】
リンク１３５は、直線形状を有し、ベースユニット１２のサイドパネル１２２に前後方向に並べて形成されたガイド１３５１，１３５１によって、前後方向に摺動自在に案内される。リンク１３５は、ガイド１３５１，１３５１によってその上下方向への動きが制限され、これにより、上述の如くＨＤＤシェルフ１１を挟持するリンク１３１，１３１を支持する。
【００３０】
また、リンク１３５が、ＨＤＤシェルフ１１及びリンク１３１，１３１を挟持した状態で、ガイド１３５１，１３５１に案内されて前後方向に移動することにより、ＨＤＤシェルフ１１がベースユニット１２から離間もしくは近接する。すなわち、リンク１３５は、ガイド１３５１，１３５１によって案内されて、ＨＤＤシェルフ１１を水平方向に移動させることにより、ベースユニット１２からの距離を変更する水平方向移動機構として機能する。
【００３１】
リンク１３４は、その一端をベースユニット１２のサイドパネル１２２に枢軸１３６ｅにより枢設され、又、その他端をリンク１３３の一端部と枢軸１３６ｄにより枢設されている。
リンク１３２，１３３及びダンバー１３７は、リンク１３５における枢軸１３６ａ側の端部と、リンク１３４の枢軸１３６ｄ側の端部とを連結するリンク機構１３８を構成する。このリンク機構１３８は、リンク１３５における枢軸１３６ａ側の端部と、リンク１３４の枢軸１３６ｄ側の端部とを伸縮自在に連結する。又、このリンク機構１３８は、ＨＤＤシェルフ１１を支持することでＨＤＤシェルフ１１による荷重を分散させ、リンク１３５への荷重の集中を防止している。
【００３２】
具体的には、リンク機構１３８において、リンク１３３の一端側はリンク１３４における枢軸１３６ｅ側とは反対側の端部と枢軸１３６ｄを介して枢設されている。又、リンク１３３の枢軸１３６ｄとは反対側の端部は、ダンパー１３７の一端部と枢軸１３６ｃを介して枢設されている。ダンパー１３７における枢軸１３６ｃ側端部とは反対側の端部は、リンク１３２の一端側と枢軸１３６ｂを介して枢設されている。
【００３３】
ダンパー１３７は、振動エネルギーを消散させて衝撃または振動の振幅を軽減する装置であり、リンク機構１３８の伸縮に伴って発生する衝撃や振動を軽減させる。ダンパー１３７がリンク機構１３８の伸縮に伴って発生する衝撃や振動を軽減させることにより、これらの衝撃や振動がＨＤＤシェルフ１１やベースユニット１２に収納されたＨＤＤ１０１に伝達することを防止することができる。すなわち、本ストレージ装置１の活性状態でＨＤＤシェルフ１１の展開状態と収納状態とを切り替えても、これによって生じる衝撃や振動からＨＤＤ１０１を保護することができる。又、ダンパー１３７は伸縮自在に構成されている。
【００３４】
リンク１３２の枢軸１３６ｂ側端部とは反対側の端部は、リンク１３５及びリンク１３１と枢軸１３６ａを介して枢設されている。
そして、図３（ａ）に示すように、ＨＤＤシェルフ１１の収納状態においては、リンク機構１３８は折り畳まれた状態となる。具体的には、リンク機構１３８においては、リンク１３２，１３３及びダンバー１３７が枢軸１３６ｃ，１３６ｄでそれぞれ回動することにより屈曲する。又、ダンパー１３７は収縮する。これらにより、リンク機構１３８は、リンク１３５における枢軸１３６ａ側の端部と、リンク１３４の枢軸１３６ｄ側の端部との距離を縮めるよう作用する。
【００３５】
図３（ａ）に示すように、離接機構１３は、ＨＤＤシェルフ１１の収納時においては、ＨＤＤシェルフ１１をその両側から挟持した状態で、リンク機構１８３が収縮するとともに、リンク１３５がガイド１３５１，１３５１に案内されて後方に移動する。
これにより、ＨＤＤシェルフ１１は、そのベース１１１が、ベースユニット１２のベース１２１と面一となる位置に配置され、ＨＤＤシェルフ１１とベースユニット１２とが近接した収納状態となる。又、この収納状態においては、ＨＤＤシェルフ１１は、ケーブルリンクガイド１２４上に載置され、これにより、ＨＤＤシェルフ１１は、ベースユニット１２と近接した状態で固定される。
【００３６】
また、図３（ｂ）に示すように、ＨＤＤシェルフ１１の展開状態においては、リンク機構１３８は、リンク１３２，１３３及びダンバー１３７が直線状に展開し、ＨＤＤシェルフ１１を支える。又、ダンパー１３７は伸長する。これらにより、リンク機構１３８は、リンク１３５における枢軸１３６ａ側の端部と、リンク１３４の枢軸１３６ｄ側の端部との距離を広げるよう作用する。
【００３７】
更に、図３（ｂ）に示すように、離接機構１３は、ＨＤＤシェルフ１１の展開状態においては、ＨＤＤシェルフ１１をその両側から挟持した状態で、リンク機構１８３が伸長されるとともに、リンク１３５がガイド１３５１，１３５１に案内されて前方に移動する。
これにより、ＨＤＤシェルフ１１は、ベースユニット１２から離れて前方に移動し、ＨＤＤシェルフ１１とベースユニット１２とが離間状態となる。なお、ＨＤＤシェルフ１１は、例えば、サイドパネル１１２から突出する図示しないストッパがリンク１３１に当接することにより、枢軸１３６ｆを軸とする回動が阻止され、展開状態で水平となるように固定される。
【００３８】
このＨＤＤシェルフ１１の展開状態においては、ベースユニット１２における前方位置には、ベースユニット１２に搭載されたＨＤＤ１０１等に対して保守等の作業を行なうことが可能なスペースが確保される。
また、このＨＤＤシェルフ１１の展開状態においては、図１や図３（ｂ）に示すように、ベースユニット１２の前側において開口１２ａが形成され、この開口１２ａを介してベースユニット１２に搭載されたＨＤＤ１０１が露出し、ＨＤＤ１０１に対する作業を行なうことが可能となる。更に、後述の如く、ＨＤＤシェルフ１１の展開状態においては、この開口１２ａからベースユニット１２内に外気（エア）が流入可能な状態となる。
【００３９】
上述の如く構成された実施形態の一例としてのストレージ装置１は、収納状態でラックマウント装置のラックに形成されたスロット内に挿入されている。
保守作業等を行なう作業者は、ラックに挿入された状態のストレージ装置１において、ＨＤＤシェルフ１１を前方に引き出す。
この際、折り畳まれた状態であったリンク機構１３８は、リンク１３２，１３３及びダンバー１３７が直線状に展開される。又、これに伴い、リンク１３５がガイド１３５１，１３５１によって案内された状態で前方に移動し、ＨＤＤシェルフ１１がベースユニット１２から離間する。
【００４０】
さらに、作業者は、ＨＤＤシェルフ１１を、リンク１３１，１３１によって挟持された状態で、枢軸１３６ａを中心に下方に回動（移動）させる。これにより、ＨＤＤシェルフ１１の位置はベースユニット１２の位置よりも下方に位置し、ベースユニット１２の前方に開口１２ａが形成され後ディスク列１０１ｂが露出する。
次に、本ストレージ装置１におけるＨＤＤ１０１の冷却機能について説明する。
【００４１】
図４は実施形態の一例としてのストレージ装置の収納状態の外観を示す斜視図であり、図５はその展開状態の外観を示す斜視図である。なお、図４及び図５においては、便宜上、一部の符号の図示を省略している。
図４及び図５に示すように、ベースユニット１２は、その後ディスク列１０１ｂ，バックプレーン１７，制御ユニット１６，通風路２０１等を覆い隠すように蓋をするベースユニットカバー１２３を備える。すなわち、これらのディスク列１０１ｂ，バックプレーン１７，制御ユニット１６及び通風路２０１は、ベース１２１，サイドパネル１２２，１２２及びベースユニットカバー１２３によって環囲される空間（ベースユニット空間）内に配置されている。
【００４２】
また、ＨＤＤシェルフ１１も同様に、その前ディスク列１０１ａ及びバックプレーン１８を覆い隠すように蓋をするＨＤＤシェルフカバー１１３を備える。すなわち、これらの前ディスク列１０１ａ及びバックプレーン１８は、ベース１１１，サイドパネル１１２，１２２，底面１１３１及びＨＤＤシェルフカバー１１３によって環囲される空間（ＨＤＤシェルフ空間）内に配置されている。
【００４３】
図６（ａ），（ｂ），（ｃ）は実施形態の一例としてのストレージ装置１の収納状態における後ディスク列１０１ｂを冷却する気流の経路を示す図である。なお、図６（ａ）はストレージ装置１における気流の経路を示す平面図であり、図６（ｂ）は図６（ａ）のＡ−Ａ断面図、図６（ｃ）はその正面図である。
ＨＤＤシェルフカバー１１３は、底面１１３１，側板１１３２，１１３２，天板１１３３及び後板１１３４によって環囲された箱形状を備え、底面１１３１をＨＤＤシェルフ１１の前ディスク列１０１ａの上方において、ベース１２１と平行になるように載置されている。側板１１３２，１１３２は、それぞれＨＤＤシェルフ１１のサイドパネル１１２，１１２と面一となるように構成されている。
【００４４】
ＨＤＤシェルフカバー１１３の前側には開口１１３ａが形成されており、この開口１１３ａ内には整流板１１３５（図４参照）が配置されている。
また、ＨＤＤシェルフカバー１１３の内部空間は、図６（ｂ）に示すように、収納状態においてベースユニット１２におけるベースユニット空間に連結している。これにより、収納状態においてベースユニット１２のファン１４を回転させると、図６（ａ），（ｂ）に示すように、ＨＤＤシェルフカバー１１３の開口１１３ａから吸気されたエアがＨＤＤシェルフカバー１１３の内部空間から、ベースユニット空間内に流入する。
【００４５】
具体的には、ＨＤＤシェルフカバー１１３の開口１１３ａから吸気されたエアは、ＨＤＤシェルフカバー１１３の内部空間において後板１１３４に突き当たって下降し、ベースユニット空間内に流入する。
ベースユニット空間内に流入したエアは、後ディスク列１０１ｂの各ＨＤＤ１０１の間を通過した後、制御ユニット１６内に進入する。ＨＤＤ１０１の間を通過する際に、エアはＨＤＤ１０１を冷却する。
【００４６】
このように、ＨＤＤシェルフ１１の内部空間は、ＨＤＤシェルフ１１の収納状態において、開口１１３ａから吸気されたエアを後ディスク列１０１ｂに案内する案内路として機能する。
すなわち、収納状態で、ファン１４は、案内路を介して流入し、後ディスク列１０１ｂの各ＨＤＤ１０１を通過する気流を生じさせる。
【００４７】
その後、制御ユニット１６内に進入したエアは、当該制御ユニット１６内のＣＭやＰＳＵを冷却し、ファン１４を通過してベースユニット１２の後側から排気される。
このように、ＨＤＤシェルフ１１の収納状態においては、後ディスク列１０１ｂは、ＨＤＤシェルフカバー１１３の開口１１３ａから吸気され、ＨＤＤシェルフ１１の内部空間により案内される気流により冷却される。
【００４８】
一方、ＨＤＤシェルフ１１において、ベース１１１，サイドパネル１１２，１１２及びＨＤＤシェルフカバー１１３の底面１１３１によって環囲されたＨＤＤシェルフ空間は、ダクト１４１，１４１と連通している。具体的には、ＨＤＤシェルフ空間における後側（ベースユニット１２側）においては、ダクト１４１は、ＨＤＤシェルフ空間とベースユニット１２の通風路２０１とを連結する。
【００４９】
図７は実施形態の一例としてのストレージ装置１におけるダクト１４１を例示する外観図である。
ダクト１４１は、この図７に例示するような矩形の断面形状を有する蛇腹ホースであり、ＨＤＤシェルフ１１とベースユニット１２との距離に応じて伸縮する。なお、このダクト１４１は、蛇腹ホースに限定されるものではなく、例えば、ゴム等の弾性により伸縮する部材を用いて構成してもよく、種々変形して実施することができる。
【００５０】
図８は実施形態の一例としてのストレージ装置１におけるＨＤＤシェルフ１１の後側の外観を示す斜視図である。なお、この図８中においては、便宜上、一部のみを抜粋して図示している。
この図８に示すように、ＨＤＤシェルフ１１の後側において、ベース１１１の後側辺に沿って後板１１２１が立設している。又、このＨＤＤシェルフ１１の後側において、後板１１２１と各サイドパネル１１２との間には後部開口１１ｂ，１１ｂがそれぞれ形成されている。そして、前述したダクト１４１の一端は、これらの後部開口１１ｂ，１１ｂに接続されている。なお、図８中においては、ダクト１４１と後部開口１１ｂとの位置関係を示すため、便宜上、ダクト１４１と後部開口１１ｂとを離した状態で図示している。
【００５１】
これにより、ＨＤＤシェルフ１１の前側の開口１１ａから進入したエアは、図９に示すように、これらの後部開口１１ｂ，１１ｂを介してそれぞれダクト１４１に進入する。
図９は実施形態の一例としてのストレージ装置１の展開状態における気流の経路を示す斜視図である。この図９中においては、前ディスク列１０１ａを冷却する気流の経路を一点鎖線矢印で表し、後ディスク列１０１ｂを冷却する気流の経路を太破線矢印で表す。なお、この図９中においては、便宜上、一部のみを抜粋して図示している。
【００５２】
上述の如き構成により、ＨＤＤシェルフ１１の展開状態において、ベースユニット１２のファン１４，１４を回転させることにより後ディスク列１０１ｂが冷却される。すなわち、ファン１４，１４を回転させることにより、ベースユニット１２の前側の開口１２ａから吸引されたエアが後ディスク列１０１ｂの各ＨＤＤ１０１の間を通過した後、制御ユニット１６内に進入する。ＨＤＤ１０１の間を通過する際に、エアはＨＤＤ１０１を冷却する。
【００５３】
その後、制御ユニット１６内に進入したエアは、更に、当該制御ユニット１６内のＣＭやＰＳＵを冷却し、ファン１４を通過してベースユニット１２の後側から排気される。
すなわち、展開状態において、ファン１４が、ベースユニット１２の開口１２ａから流入し、後ディスク列１０１ｂの各ＨＤＤ１０１を通過する気流を生じさせる。
また、ＨＤＤシェルフ１１の展開状態において、ベースユニット１２のファン１５，１５を回転させることにより前ディスク列１０１ａが冷却される。すなわち、ファン１５，１５を回転させることにより、ＨＤＤシェルフ１１の前側の開口１１ａから吸引されたエアが前ディスク列１０１ａの各ＨＤＤ１０１の間を通過した後、ダクト１４１，１４１内に進入する。ＨＤＤ１０１の間を通過する際に、エアはＨＤＤ１０１を冷却する。
【００５４】
このように、ＨＤＤシェルフ１１の展開状態において、前ディスク列１０１ａは、ＨＤＤシェルフ１１の前側の開口１１ａから吸引されたエアにより冷却される。
その後、ダクト１４１内に進入したエアは、通風路２０１，２０１を通過した後、ファン１５を通過してベースユニット１２の後側から排気される。
すなわち、展開状態において、ファン１５は、ＨＤＤシェルフ１１に形成された開口１１ａから流入し、前ディスク列１０１ａの各ＨＤＤ１０１を通過した後に、ダクト１４１を通過する気流を生じさせる。
【００５５】
また、前ディスク列１０１ａの冷却に用いられたエアは、後部開口１１ｂ，１１ｂを介して、伸長された状態のダクト１４１を通過し、通風路２０１，２０１を通過した後、ファン１５を通過してベースユニット１２の後側から排気される。
また、図１０（ａ），（ｂ），（ｃ）は実施形態の一例としてのストレージ装置１の収納状態における前ディスク列１０１ａを冷却する気流の経路を示す図である。なお、図１０（ａ）はストレージ装置１における気流の経路を示す平面図であり、図１０（ｂ）は図１０（ａ）のＢ−Ｂ断面図、図１０（ｃ）はその正面図である。
【００５６】
収納状態においては、上述したダクト１４１が収縮した状態となり、図１０（ａ），（ｂ），（ｃ）においてはその図示を省略している。
ＨＤＤシェルフ１１の内部空間（ＨＤＤシェルフ空間）は、前述の如く、ダクト１４１を介して通風路２０１に連結している。これにより、収納状態において各通風路２０１内のファン１５をそれぞれ回転させると、図１０（ａ），（ｂ）に示すように、ＨＤＤシェルフ１１の開口１１ａから吸気されたエアがＨＤＤシェルフ空間に流入する。
【００５７】
この流入したエアは、ＨＤＤシェルフ空間内において、前ディスク列１０１ａの各ＨＤＤ１０１の間を通過する。ＨＤＤ１０１の間を通過する際に、エアはＨＤＤ１０１を冷却する。
その後、前ディスク列１０１ａを通過した後、後部開口１１ｂ，１１ｂを介して縮んだ状態のダクト１４１を通過し、通風路２０１，２０１に流入する。
【００５８】
すなわち、展開状態においても、ファン１５は、ＨＤＤシェルフ１１に形成された開口１１ａから流入し、前ディスク列１０１ａの各ＨＤＤ１０１を通過した後に、ダクト１４１を通過する気流を生じさせる。
このように、ＨＤＤシェルフ１１の収納状態においても、前ディスク列１０１ａは、ＨＤＤシェルフ１１の開口１１ａから吸気されたエアにより冷却される。又、この冷却に用いられたエアは、後部開口１１ｂ，１１ｂを介して縮んだ状態のダクト１４１を通過し、通風路２０１，２０１を通過した後、ファン１５を通過してベースユニット１２の後側から排気される。
【００５９】
このように、実施形態の一例としてのストレージ装置１によれば、ベースユニット１２とＨＤＤシェルフ１１とのそれぞれにＨＤＤ１０１を収納することができ、ストレージ装置１内に多数のＨＤＤ１０１を収納することができるので、ストレージ装置１内の空間を効率良く使用することができる。
離接機構１３によってＨＤＤシェルフ１１を展開状態とすることにより、後ディスク列１０１ｂの各ＨＤＤ１０１に対するメンテナンスを容易に行なうことができる。すなわち、整備性が向上し、又、利便性が高い。
【００６０】
ＨＤＤシェルフ１１を、ガイド１３５１，１３５１によって案内されるリンク１３５により、前方に水平方向に移動させることで、ＨＤＤシェルフ１１がベースユニット１２から離すことができる。これにより、後ディスク列１０１ｂに容易にアクセスすることができ、又、ベースユニット１２の前方に、後ディスク列１０１ｂのＨＤＤ１０１に対する保守作業等を行なうスペースを確保することができる。
【００６１】
また、ＨＤＤシェルフ１１を、リンク１３１，１３１によって挟持された状態で、枢軸１３６ａを中心に下方に移動させることで、展開状態において、ＨＤＤシェルフ１１をベースユニット１２よりも下方に位置させることができる。これにより、後ディスク列１０１ｂへアクセスするに際してＨＤＤシェルフ１１が邪魔になることがなく、後ディスク列１０１ｂへアクセスが更に向上する。
【００６２】
また、ＨＤＤシェルフ１１の展開状態においても、ＨＤＤシェルフ１１内の前ディスク列１０１ａとベースユニット１２内の後ディスク列１０１ｂとのそれぞれを冷却することができ、ＨＤＤ１０１の寿命低下を阻止することができ、又、信頼性が向上する。
すなわち、後ディスク列１０１ｂは、ＨＤＤシェルフ１１の収納状態においては、ＨＤＤシェルフカバー１１３の開口１１３ａから吸気され、ＨＤＤシェルフ１１の内部空間により案内されたエアにより冷却される。
【００６３】
また、後ディスク列１０１ｂは、ＨＤＤシェルフ１１の展開状態においては、ＨＤＤシェルフ１１の前側の開口１１ａから吸引されたエアにより冷却される。
このように、ＨＤＤシェルフ１１の収納状態及び展開状態のいずれの状態においても、後ディスク列１０１ｂを冷却することができる。
なお、前ディスク列１０１ａは、ＨＤＤシェルフ１１の収納状態及び展開状態のいずれにおいても、ＨＤＤシェルフ１１の開口１１ａから吸気されたエアにより冷却される。又、この冷却に用いられたエアは、後部開口１１ｂ，１１ｂを介してダクト１４１を通過し、通風路２０１，２０１を通過した後、ファン１５を通過してベースユニット１２の後側から排気される。
【００６４】
また、ＨＤＤシェルフ１１の収納状態においては、ダクト１４１は縮んだ状態となっている一方、ＨＤＤシェルフ１１の展開状態においては、ダクト１４１は伸長した状態となっている。これにより、ＨＤＤシェルフ１１の収納状態及び展開状態のいずれの状態においても、ＨＤＤシェルフ１１の開口１１ａから吸気されたエアをファン１５から排気することができる。
【００６５】
このように、ＨＤＤシェルフ１１の収納状態及び展開状態のいずれの状態においても、前ディスク列１０１ａを冷却することができるのである。
そして、開示の技術は上述した実施形態に限定されるものではなく、本実施形態の趣旨を逸脱しない範囲で種々変形して実施することができる。
例えば、上述した実施形態において、離接機構１３は、5つのリンク１３１〜１３５とダンパー１３７とを備え、ＨＤＤシェルフ１１の収納状態で、リンク１３２，１３３及びダンバー１３７が枢軸１３６ｃ，１３６ｄでそれぞれ回動することにより屈曲する。離接機構１３の構成はこれに限定されるものではなく、４つ以下のリンクもしくは６つ以上のリンクを備えてもよく、種々変形して実施することができる。
【００６６】
また、上述した実施形態において、離接機構１３は、ダンパー１３７を備えているが、これに限定されるものではなく、ダンパー１３７に代えて単なるリンク１３７′を備えて構成してもよい。
図１１は実施形態の変形例としてのストレージ装置の収納状態を示す斜視図である。
この図１１に示すストレージ装置１は、図２に示したストレージ装置１の離接機構１３に代えて離接機構１３′を備えるものであり、離接機構１３′は、ダンパー１３７に代えて単なるリンク１３７′を備える。これにより、離接機構１３′の製造コストを低減することができる。
【００６７】
ベースユニット１２やＨＤＤシェルフ１１に収納されるＨＤＤ１０１の数は、上述した実施形態に示した数に限定されるものではなく、種々変形して実施することができる。
上述した実施形態においては、電子装置として記憶装置１０１を収納するストレージ装置１について説明したが、これに限定されるものではなく種々変形して実施することができる。例えば、電子装置として情報処理装置や通信装置等、記憶装置以外の電子装置を収納してもよい。又、ベースユニット１２とＨＤＤシェルフ１１とで異なる電子装置を格納してもよい。
【００６８】
また、上述した開示により本実施形態を当業者によって実施・製造することが可能である。
【符号の説明】
【００６９】
１    ストレージ装置（電子機器収納装置）
１１    ＨＤＤシェルフ（第２収納部）
１１ａ    開口
１１ｂ    後部開口
１２    ベースユニット（第１収納部）
１２ａ    開口
１３，１３′    離接機構
１４，１５    ファン
１６    制御ユニット
１７，１８    バックプレーン
１０１    ＨＤＤ（第１の電子機器，第２の電子装置）
１０１ａ    前ディスク列
１０１ｂ    後ディスク列
１１１    ベース
１１２    サイドパネル
１１３    ＨＤＤシェルフカバー
１１３ａ    開口
１２１    ベース
１２２    サイドパネル
１２３    ベースユニットカバー
１２４    ケーブルリンクガイド
１３１，１３２，１３４，１３５，１３７′    リンク
１３６ａ，１３６ｂ，１３６ｃ，１３６ｄ，１３６ｅ，１３６ｆ    枢軸
１３７    ダンパー
１３８    リンク機構
１４１    ダクト
２０１    通風路
１１２１    後板
１１３１    底面
１１３２    側面
１１３３    天板
１１３４    後板
１１３５    整流板
１３５１    ガイド
【図１】
2015053381.tif 000003
【図２】
2015053381.tif 000004
【図３】
2015053381.tif 000005
【図４】
2015053381.tif 000006
【図５】
2015053381.tif 000007
【図６】
2015053381.tif 000008
【図７】
2015053381.tif 000009
【図８】
2015053381.tif 000010
【図９】
2015053381.tif 000011
【図１０】
2015053381.tif 000012
【図１１】
2015053381.tif 000013
【図１２】
2015053381.tif 000014
【図１３】
2015053381.tif 000015
【図１４】
2015053381.tif 000016